(57)【要約】【課題】液体を上流側から下流側へ流すときは、弁のスリットを十分に開いて液体の流量を十分に確保でき、液体が下流Ｄ側から上流Ｕ側へ流れようとするときは、弁のスリットを確実に閉じて、下流側から上流側への液体の逆流を確実に阻止することができる逆止弁を提供すること。【解決手段】上流側ハウジングの開口部と、弁のスリットとの間に、支持体を配置し、スリット近傍の上流側の略垂直位置に、支持体の閉塞した頂部を配置した。支持体の貫通孔は、スリット近傍の上流Ｕ側の略垂直位置から、側部側に離間した位置に配置した。【選択図】図４
2015148275.tif 000002
【特許請求の範囲】
【請求項１】
上流側ハウジング（２Ｕ、３２Ｕ）と下流側ハウジング（２Ｄ、３２Ｄ）と弁（１０、４０）を有し、
前記上流側ハウジング（２Ｕ、３２Ｕ）は、上流側弁収納部（３Ｕ、３３Ｕ）と上流側管状部（５Ｕ、３５Ｕ）とを有し、
前記上流側弁収納部（３Ｕ、３３Ｕ）は、末端（ＤＥ）側に底部（３ＵＢ、３３ＵＢ）を有し、
当該底部（３ＵＢ、３３ＵＢ）から基端（ＰＥ）側に上流側管状部（５Ｕ、３５Ｕ）を突設し、
前記下流側ハウジング（２Ｄ、３２Ｄ）は、下流側弁収納部（３Ｄ、３３Ｄ）と下流側管状部（５Ｄ、３５Ｄ）とを有し、
前記下流側弁収納部（３Ｄ、３３Ｄ）は、基端（ＰＥ）側に底部（３ＤＢ、３３ＤＢ）を有し、
当該底部（３ＤＢ、３３ＤＢ）は、基端（ＰＥ）側から末端（ＤＥ）側に向けて、下流側管状部（５Ｄ、３５Ｄ）を突設し、
前記弁（１０、４０）は、スリット（１０ＳＬ、４０ＳＬ）を形成した変形部（１０Ｈ、４０）とフランジ（１０Ｆ、４０Ｆ）とを有し、
前記上流側ハウジング（２Ｕ、３２Ｕ）の底部（３ＵＢ、３３ＵＢ）は略中心部に開口部（３ＵＢＯ、３３ＵＢＯ）を形成し、
当該開口部（３ＵＢＯ、３３ＵＢＯ）の側部（Ｓ）方向から末端（ＤＥ）側に向けて支持体（７Ｕ、３７Ｕ）を突設し、
当該支持体（７Ｕ、３７Ｕ）の側部（Ｓ）方向から末端（ＤＥ）側に向けて
側壁（３ＵＳＷ、３３ＵＳＷ）を突設し、
前記支持体（７Ｕ、３７Ｕ）は、側部（Ｓ）の二方向に基端（ＰＥ）側から末端（ＤＥ）側に向けて下る傾斜部（７ＵＴＰ、３７ＵＴＰ）を有し、
当該傾斜部（７ＵＴＰ、３７ＵＴＰ）は、貫通孔（７ＵＴＨ、３７ＵＴＨ）を形成し、
当該傾斜部（７ＵＴＰ、３７ＵＴＰ）は、末端（ＤＥ）側に閉塞した頂部（７ＵＰ、３７ＵＰ）を形成し、
前記下流側ハウジング（２Ｄ、３２Ｄ）の底部（３ＤＢ、３３ＤＢ）は、略中心部に開口部（３ＤＯ、３３ＤＯ）を形成し、
当該開口部（３ＤＯ、３３ＤＯ）の側部（Ｓ）側に、基端（ＰＥ）側に向けて側壁（３ＤＳＷ、３３ＤＳＷ）を突設し、
前記上流側弁収納部（３Ｕ、３３Ｕ）の側壁（３ＵＳＷ、３３ＵＳＷ）の内側に、前記弁（１０、４０）を装着し、
前記下流側弁収納部（３Ｄ、３３Ｄ）の側壁（３ＤＳＷ、３３ＤＳＷ）の内側を前記上流側弁収納部（３Ｕ、３３Ｕ）の側壁（３ＤＳＷ、３３ＤＳＷ）の外側に嵌合または溶着し、
前記上流側ハウジング（２Ｕ、３２Ｕ）の開口部（３ＵＢＯ、３３ＵＢＯ）と、前記弁（１０、４０）のスリット（１０ＳＬ、４０ＳＬ）との間には、前記支持体（７Ｕ、３７Ｕ）を配置し、
前記スリット（１０ＳＬ、４０ＳＬ）近傍の上流（Ｕ）側の略垂直位置には、前記支持体（７Ｕ、３７Ｕ）の閉塞した頂部（７ＵＰ、３７ＵＰ）を配置し、
前記支持体（７Ｕ、３７Ｕ）の貫通孔（７ＵＴＨ、３７ＵＴＨ）は、前記スリット（１０ＳＬ、４０ＳＬ）近傍の上流（Ｕ）側の略垂直位置から、側部（Ｓ）側に離間した位置に配置したことを特徴とする逆止弁（１、３１）。
【請求項２】
前記上流側ハウジング（２Ｕ、３２Ｕ）の底部（３ＵＢ、３３ＵＢ）は、支持体（７Ｕ、３７Ｕ）の側部（Ｓ）側と、前記側壁（３ＵＳＷ、３３ＵＳＷ）との間に、末端（ＤＥ）側に向けて小突起（３Ｔ、３３Ｔ）を形成した、ことを特徴とする請求項１に記載の逆止弁（１、３１）。
【請求項３】
前記上流側ハウジング（２Ｕ）の側壁（３ＵＳＷ）の外側に接続部（３ＵＳ）を形成し、
前記下流側ハウジング（２Ｄ）の側壁（３ＤＳＷ）の内側に接続部（３ＤＳ）を形成し、
前記上流側ハウジング（２Ｕ）の接続部（３ＵＳ）と、前記下流側ハウジング（２Ｄ）の接続部（３ＤＳ）とを機械嵌合したことを特徴とする請求項１または請求項２
に記載の逆止弁（１）。
【請求項４】
前記上流側ハウジング（３２Ｕ）の側壁（３３ＵＳＷ）の外側と前記下流側ハウジング（３２Ｄ）の側壁（３３ＤＳＷ）の内側とを超音波溶着した、ことを特徴とする請求項１または請求項２に記載の逆止弁（３１）。
【請求項５】
前記弁（１０）の内側は、変形部（１０Ｈ）の頂部（１０Ｐ）からフランジ（１０Ｆ）の基端（ＰＥ）側にわたって、前記支持体（７Ｕ）の外側の末端（ＤＥ）側から基端（ＰＥ）側にわたって当接され、
前記弁（１０）のフランジ（１０Ｆ）は、基端（ＰＥ）側から小突起（３Ｔ）に押され、末端（ＤＥ）側から下流側ハウジング（２Ｄ）の底部（３ＤＢ）に押され、
弁（１０）は上流側弁収納部（３Ｕ）の側壁（３ＵＳＷ）の内側に圧入・固定した、ことを特徴とする請求項１から請求項３のいずれか１項に記載の逆止弁（１）。
【請求項６】
前記弁（４０）の変形部（４０Ｈ）の内側は、スリット（４０ＳＬ）近傍からフランジ（４０Ｆ）の基端（ＰＥ）側にわたって、支持体（３７Ｕ）の外側の末端（ＤＥ）側から基端（ＰＥ）側にわたって当接され、
前記弁（４０）のフランジ（４０Ｆ）は、基端（ＰＥ）側から小突起（３３Ｔ）に押され、末端（ＤＥ）側から下流側ハウジング（３２Ｄ）の底部（３３ＤＢ）に押され、
前記弁（４０）は、上流側弁収納部（３３Ｕ）の側壁（３３ＵＳＷ）の内側に圧入・固定した、ことを特徴とする請求項１から請求項２、請求項４のいずれか１項に記載の逆止弁（３１）。
【発明の詳細な説明】
【技術分野】
【０００１】
本発明は、逆止弁に関し、例えば血液回路、薬液容器、輸血・輸液セット、シリンジ等の医療用具または例えば透析装置、輸液ポンプ等の医療機器に使用する逆止弁に関するものである。
【背景技術】
【０００２】
特許文献１には、構造が簡単でかつ製作し易く、量産が可能で、しかも完全に逆流防止ができると共に弾性体の厚さ方向及び自由に圧力調整ができることを目的として、以下の逆止弁（逆止弁ハウジング）の発明を開示している。（以下、特許文献１で使用されている符号に〈  〉を付けた。）
【０００３】
逆止弁は、逆止弁本体〈１〉の各表面には気密用環状突起〈４１、４２〉を形成し、中心には貫通孔〈３〉を有する。この貫通孔〈３〉は下流側の表面にはスリットを形成し、上流側の表面には、方形〈３１〉であって、この表面からスリット〈３〉に向かって傾斜する傾斜部〈２〉を有している。
また逆止弁ハウジングは、逆止弁収納体及び固定用蓋体からなる。固定用蓋体は、上流側管状部を有し、蓋体の先端部は、逆止弁本体〈１〉の傾斜部〈２１、２２〉と実質的に平行な傾斜を有しており、傾斜部〈２１、２２〉の表面を押圧する押圧部を有している。
【先行技術文献】
【特許文献】
【０００４】
【特許文献１】特許第４４９４８１２号公報（特許請求の範囲、図面）
【発明の概要】
【発明が解決しようとする課題】
【０００５】
特許文献１に記載の発明は（以下、後述する本願発明で、特許文献１の発明の説明で使用されている部材と異なる名称であるが、対応ないし関連する部材の名称に《  》を付けた。）固定用蓋体〈６〉《上流側ハウジング》の逆止弁〈１〉側の端部《支持体》の液体流通口《開口部》は、逆止弁〈１〉のスリット〈３〉近傍で、上流側の略垂直位置に隣接して形成している。
このため特許文献１に記載の発明は、液体が逆止弁収納体〈５〉《下流側ハウジング》から固定用蓋体〈６〉《上流側ハウジング》側へ流れるとき、特に液体の流体圧が大きい場合（急激に逆流する場合）、逆止弁〈１〉のスリット〈３〉近傍（肉薄部）が流体圧に押されて変形して、スリット〈３〉が開き、液体が逆流（下流側から上流側へ流れる）するのを防ぐことができない等の課題があった。
そこで、本発明者は以上の課題を解決するために鋭意検討を重ねた結果、次の発明に到達した。
【課題を解決するための手段】
【０００６】
［１］本発明は、上流側ハウジング（２Ｕ、３２Ｕ）と下流側ハウジング（２Ｄ、３２Ｄ）と弁（１０、４０）を有し、
前記上流側ハウジング（２Ｕ、３２Ｕ）は、上流側弁収納部（３Ｕ、３３Ｕ）と上流側管状部（５Ｕ、３５Ｕ）とを有し、
前記上流側弁収納部（３Ｕ、３３Ｕ）は、末端（ＤＥ）側に底部（３ＵＢ、３３ＵＢ）を有し、
当該底部（３ＵＢ、３３ＵＢ）から基端（ＰＥ）側に上流側管状部（５Ｕ、３５Ｕ）を突設し、
前記下流側ハウジング（２Ｄ、３２Ｄ）は、下流側弁収納部（３Ｄ、３３Ｄ）と下流側管状部（５Ｄ、３５Ｄ）とを有し、
前記下流側弁収納部（３Ｄ、３３Ｄ）は、基端（ＰＥ）側に底部（３ＤＢ、３３ＤＢ）を有し、
当該底部（３ＤＢ、３３ＤＢ）は、基端（ＰＥ）側から末端（ＤＥ）側に向けて、下流側管状部（５Ｄ、３５Ｄ）を突設し、
前記弁（１０、４０）は、スリット（１０ＳＬ、４０ＳＬ）を形成した変形部（１０Ｈ、４０）とフランジ（１０Ｆ、４０Ｆ）とを有し、
前記上流側ハウジング（２Ｕ、３２Ｕ）の底部（３ＵＢ、３３ＵＢ）は略中心部に開口部（３ＵＢＯ、３３ＵＢＯ）を形成し、
当該開口部（３ＵＢＯ、３３ＵＢＯ）の側部（Ｓ）方向から末端（ＤＥ）側に向けて支持体（７Ｕ、３７Ｕ）を突設し、
当該支持体（７Ｕ、３７Ｕ）の側部（Ｓ）方向から末端（ＤＥ）側に向けて
側壁（３ＵＳＷ、３３ＵＳＷ）を突設し、
前記支持体（７Ｕ、３７Ｕ）は、側部（Ｓ）の二方向に基端（ＰＥ）側から末端（ＤＥ）側に向けて下る傾斜部（７ＵＴＰ、３７ＵＴＰ）を有し、
当該傾斜部（７ＵＴＰ、３７ＵＴＰ）は、貫通孔（７ＵＴＨ、３７ＵＴＨ）を形成し、
当該傾斜部（７ＵＴＰ、３７ＵＴＰ）は、末端（ＤＥ）側に閉塞した頂部（７ＵＰ、３７ＵＰ）を形成し、
前記下流側ハウジング（２Ｄ、３２Ｄ）の底部（３ＤＢ、３３ＤＢ）は、略中心部に開口部（３ＤＯ、３３ＤＯ）を形成し、
当該開口部（３ＤＯ、３３ＤＯ）の側部（Ｓ）側に、基端（ＰＥ）側に向けて側壁（３ＤＳＷ、３３ＤＳＷ）を突設し、
前記上流側弁収納部（３Ｕ、３３Ｕ）の側壁（３ＵＳＷ、３３ＵＳＷ）の内側に、前記弁（１０、４０）を装着し、
前記下流側弁収納部（３Ｄ、３３Ｄ）の側壁（３ＤＳＷ、３３ＤＳＷ）の内側を前記上流側弁収納部（３Ｕ、３３Ｕ）の側壁（３ＤＳＷ、３３ＤＳＷ）の外側に嵌合または溶着し、
前記上流側ハウジング（２Ｕ、３２Ｕ）の開口部（３ＵＢＯ、３３ＵＢＯ）と、前記弁（１０、４０）のスリット（１０ＳＬ、４０ＳＬ）との間には、前記支持体（７Ｕ、３７Ｕ）を配置し、
前記スリット（１０ＳＬ、４０ＳＬ）近傍の上流（Ｕ）側の略垂直位置には、前記支持体（７Ｕ、３７Ｕ）の閉塞した頂部（７ＵＰ、３７ＵＰ）を配置し、
前記支持体（７Ｕ、３７Ｕ）の貫通孔（７ＵＴＨ、３７ＵＴＨ）は、前記スリット（１０ＳＬ、４０ＳＬ）近傍の上流（Ｕ）側の略垂直位置から、側部（Ｓ）側に離間した位置に配置した逆止弁（１、３１）を提供する。
【０００７】
［２］本発明は、前記上流側ハウジング（２Ｕ、３２Ｕ）の底部（３ＵＢ、３３ＵＢ）は、支持体（７Ｕ、３７Ｕ）の側部（Ｓ）側と、前記側壁（３ＵＳＷ、３３ＵＳＷ）との間に、末端（ＤＥ）側に向けて小突起（３Ｔ、３３Ｔ）を形成した［１］に記載の逆止弁（１、３１）を提供する。
［３］本発明は、前記上流側ハウジング（２Ｕ）の側壁（３ＵＳＷ）の外側に接続部（３ＵＳ）を形成し、
前記下流側ハウジング（２Ｄ）の側壁（３ＤＳＷ）の内側に接続部（３ＤＳ）を形成し、
前記上流側ハウジング（２Ｕ）の接続部（３ＵＳ）と、前記下流側ハウジング（２Ｄ）の接続部（３ＤＳ）とを機械嵌合した［１］または［２］に記載の逆止弁（１）を提供する。
［４］本発明は、前記上流側ハウジング（３２Ｕ）の側壁（３３ＵＳＷ）の外側と前記下流側ハウジング（３２Ｄ）の側壁（３３ＤＳＷ）の内側とを超音波溶着した前記［１］または［２］に記載の逆止弁（３１）を提供する。
【０００８】
［５］本発明は、前記弁（１０）の内側は、変形部（１０Ｈ）の頂部（１０Ｐ）からフランジ（１０Ｆ）の基端（ＰＥ）側にわたって、前記支持体（７Ｕ）の外側の末端（ＤＥ）側から基端（ＰＥ）側にわたって当接され、
前記弁（１０）のフランジ（１０Ｆ）は、基端（ＰＥ）側から小突起（３Ｔ）に押され、末端（ＤＥ）側から下流側ハウジング（２Ｄ）の底部（３ＤＢ）に押され、
弁（１０）は上流側弁収納部（３Ｕ）の側壁（３ＵＳＷ）の内側に圧入・固定した［１］から［３］のいずれか１に記載の逆止弁（１）を提供する。
［６］本発明は、前記弁（４０）の変形部（４０Ｈ）の内側は、スリット（４０ＳＬ）近傍からフランジ（４０Ｆ）の基端（ＰＥ）側にわたって、支持体（３７Ｕ）の外側の末端（ＤＥ）側から基端（ＰＥ）側にわたって当接され、
前記弁（４０）のフランジ（４０Ｆ）は、基端（ＰＥ）側から小突起（３３Ｔ）に押され、末端（ＤＥ）側から下流側ハウジング（３２Ｄ）の底部（３３ＤＢ）に押され、
前記弁（４０）は、上流側弁収納部（３３Ｕ）の側壁（３３ＵＳＷ）の内側に圧入・固定した［１］から［２］、［４］のいずれか１に記載の逆止弁（３１）を提供する。
【発明の効果】
【０００９】
本発明の逆止弁（１、３１）によれば、
上流側ハウジング（２Ｕ、３２Ｕ）の開口部（３ＵＢＯ、３３ＵＢＯ）と、弁（１０、４０）のスリット（１０ＳＬ、４０ＳＬ）との間には、支持体（７Ｕ、３７Ｕ）を配置し、
スリット（１０ＳＬ、４０ＳＬ）近傍の上流（Ｕ）側の略垂直位置には、支持体（７Ｕ、３７Ｕ）の閉塞した頂部（７ＵＰ、３７ＵＰ）を配置し、
支持体（７Ｕ、３７Ｕ）の貫通孔（７ＵＴＨ、３７ＵＴＨ）は、スリット（１０ＳＬ、４０ＳＬ）近傍の上流（Ｕ）側の略垂直位置から、側部Ｓ側に離間した位置に配置している。
このため液体を上流Ｕ側から下流Ｄ側へ流すときには、弁（１０、４０）を内側（上流Ｕ側）から外側（下部Ｄ側）へ膨らますことができるので、スリット（１０ＳＬ、４０ＳＬ）を十分に開くことができ、液体の流量を十分に確保することができる。
【００１０】
また液体が下流Ｄ側から上流Ｕ側へ流れようとするときには、弁（１０、４０）の
変形部（１０Ｈ、４０Ｈ）は、支持体（７Ｕ、３７Ｕ）の傾斜部（７ＵＴＰ、３７ＵＴＰ）と頂部（７ＵＰ、３７ＵＰ）に押しつけられる。
スリット（１０ＳＬ、４０ＳＬ）は、頂部（７ＵＰ、３７ＵＰ）に、当接されて流体の流路は塞がれる。
また弁１０の貫通孔７ＵＴＨは、変形部１０Ｈの傾斜部１０ＴＰに閉塞され、弁４０の貫通孔３７ＵＴＨは、変形部４０Ｈの内側により閉塞される。
以上のように、本発明の逆止弁（１、３１）は、液体の逆流（下流Ｄ側から上流Ｕ側への流れ）を二段階で押さえることができる。
【図面の簡単な説明】
【００１１】
【図１】図１は、本発明（第一実施形態、以下図２から図７まで同じ）の逆止弁１を、側部Ｓの一方向（第１側部Ｓ１方向）から見た側面図である。
【図２】図２は、図１の第３側部Ｓ３‐第４側部Ｓ４断面図で第１側部Ｓ１方向から見た側面図である。
【図３】図３は、逆止弁１の下流Ｄ−第１側部Ｓ１方向から見た分解斜視図である。
【図４】図４は、図３の第３側部Ｓ３‐第４側部Ｓ４方向断面図、下流Ｄ−第１側部Ｓ１‐第３側部Ｓ３方向から見た分解斜視図である。
【図５】図５は、弁１０の概略図である。（Ａ）は、第１側部Ｓ１（第２側部Ｓ２）方向側面図（Ｂ）は、斜視図（Ｃ）は、（Ｄ）のＡ‐Ａ´断面図（Ｄ）は、第３側部Ｓ３（第４側部Ｓ４）方向側面図（Ｅ）は、下流Ｄ方向側面図
【図６】図６は、上流側ハウジング２Ｕの概略図である。（Ａ）は、下流Ｄ方向側面図（Ｂ）は、下流Ｄ−第１側部Ｓ１‐第３側部Ｓ３方向から見た斜視図（Ｃ）は、（Ａ）のＢ‐Ｂ´断面図（Ｄ）は、第１側部Ｓ１方向側面図
【図７】図７は、下流側ハウジング２Ｄの概略図である。（Ａ）は、下流Ｄ方向側面図（Ｂ）は、下流Ｄ−第１側部Ｓ１方向から見た斜視図（Ｃ）は、第１側部Ｓ１（第２側部Ｓ２）方向側面図（Ｄ）は、（Ｃ）のＣ−Ｃ´断面図
【図８】図８は、本発明（第二実施形態、以下図９から図１４まで同じ）の逆止弁３１を、側部Ｓの一方向（第１側部Ｓ１方向）から見た側面図である。
【図９】図９は、図８の第３側部Ｓ３‐第４側部Ｓ４断面図で第１側部Ｓ１方向から見た側面図である。
【図１０】図１０は、逆止弁３１の下流Ｄ−第３側部Ｓ３方向から見た分解斜視図である。
【図１１】図１１は、図１０の第３側部Ｓ３‐第４側部Ｓ４断面図である。
【図１２】図１２は、下流側ハウジング３２Ｄの概略図である。（Ａ）は、下流Ｄ方向側面図（Ｂ）は、下流Ｄ−第１側部Ｓ１方向斜視図（Ｃ）は、第１側部Ｓ１（第２側部Ｓ２）方向側面図（Ｄ）の（Ｃ）のＡ‐Ａ´断面図
【図１３】図１３は、上流側ハウジング３２Ｕの概略図である。（Ａ）は、下流Ｄ方向側面図（Ｂ）は、下流Ｄ−第１側部Ｓ１−第３側部Ｓ３方向斜視図（Ｃ）は、（Ａ）のＢ‐Ｂ´断面図（Ｄ）は、第１側部Ｓ１（第２側部Ｓ２）方向側面図（Ｅ）は、第３側部Ｓ３（第４側部Ｓ４）方向側面図
【図１４】図１４は、弁体４０の概略図である。（Ａ）は、上流Ｕ方向側面図（Ｂ）は、下流Ｄ方向側面図（Ｃ）は、（Ｂ）のＣ‐Ｃ´断面図（Ｄ）は、Ｓ１方向側面図（Ｅ）は、（Ａ）のＤ‐Ｄ´断面図
【図１５】図１５は、本発明（第一実施形態、以下図１６も同じ）の逆止弁１で、液体が上流Ｕ側から下流Ｄ側へ流れるときの概略図である。
【図１６】図１６は、液体が下流Ｄ側から上流Ｕ側へ流れるときの概略図である。
【図１７】図１７は、本発明（第二実施形態、以下図１８も同じ）の逆止弁３１で、液体が上流Ｕ側から下流Ｄ側へ流れるときの概略図である。
【図１８】図１８は、液体が下流Ｄ側から上流Ｕ側へ流れるときの概略図である。
【発明を実施するための形態】
【００１２】
以下、図面を参照しながら本発明を詳細に説明する。
以下、符号の煩雑化を避けるため、例えば「逆止弁１、３１」とあるのは、単に「逆止弁１」等と記載する。「逆止弁１」等と記載しても、「逆止弁３１」等に共通する部分は、「逆止弁３１」も含む。
以下、本発明を明確に説明するため、次の定義をおく。
（定義１）本発明の逆止弁１、３１において、「第一状態」とは、図１５、図１７に示すように、液体が上流Ｕ側から下流Ｄ側に流れる状態において、弁１０の場合は、変形部１０Ｈが、上流Ｕ側から下流Ｄ側に膨らんで、スリット１０ＳＬが開いた状態を意味する。弁４０の場合は、変形部４０Ｈが、上流Ｕ側から下流Ｄ側に膨らんで、スリット４０ＳＬが開いた状態を意味する。
【００１３】
「第二状態」とは、例えば図１６、図１８に示すように、液体が下流Ｄ側から上流Ｕ側に流れる状態において、弁１０の場合は、変形部１０Ｈが、下流Ｄ側から上流Ｕ側に押されて、変形部１０Ｈが、支持体７Ｕに接触し、スリット１０ＳＬは、支持体７Ｕの閉塞した頂点７ＵＰに密接し、傾斜部１０ＴＰが貫通孔７ＵＴＨに密接して閉塞した状態を意味する。
弁４０の場合は、変形部４０Ｈが、下流Ｄ側から上流Ｕ側に押されて、変形部４０Ｈが、支持体３７Ｕに接触し、スリット４０ＳＬは、支持体３７Ｕの閉塞した頂点３７ＵＰに密接し、変形部４０Ｈの内側が貫通孔３７ＵＴＨに密接して閉塞した状態を意味する。
【００１４】
（定義２）本発明の逆止弁１、３１において、「上流Ｕ側（または方向という場合がある）」とは、図１から図４、図８から図１１、図１５から図１８に示すように、外部器具（例えば透析装置、輸液ポンプ、シリンジ）から使用する医療器具内（例えば血液回路、輸液セット）に液体を導入する時に、液体を導入する外部器具の方向を意味する。
また「上流Ｕ側（または方向という場合がある）」とは、「基端部ＰＥ側（または方向という場合がある）」という場合がある。
さらにいえば「上流Ｕ側（または方向という場合がある）」及び「基端部ＰＥ側（または方向という場合がある）」とは、上流側管状部５Ｕ（３５Ｕ）の「基端部ＰＥ側（または方向という場合がある）」を意味する。
【００１５】
「下流側（または方向という場合がある）」とは、図１から図４、図８から図１１、図１５から図１８に示すように、外部器具（例えば透析装置）から使用する医療器具内に液体を導入する時に、液体を導入される医療器具（例えば血液回路）の方向を意味する。
また「下流Ｄ側（または方向という場合がある）」とは、「末端部ＤＥ側（または方向という場合がある）」という場合がある。
さらにいえば「下流Ｄ側（または方向という場合がある）」及び「末端部ＤＥ側（または方向という場合がある）」とは、下流側管状部５Ｄ（３５Ｄ）の「末端部ＤＥ側（または方向という場合がある）」を意味する。
【００１６】
（定義３）本発明の逆止弁１、３１で、「第１側部Ｓ１側（または方向という場合がある）」とは、図１では、図の正面側の方向（図の破線矢印参照）を意味する。
「第２側部Ｓ２側（または方向という場合がある）」とは、図１では、図の背面側の方向（図の破線矢印参照）を意味する。
「第３側部Ｓ３側（または方向という場合がある）」とは、図１では、図の右側の方向（図の破線矢印参照）を意味する。
「第４側部Ｓ４側（または方向という場合がある）」とは、図１では、図の左側の方向（図の破線矢印参照）を意味する。
また側部Ｓ方向とは、前記第１側部Ｓ１から第４側部Ｓ４の全ての方向を含む。
側部Ｓの一方向とは、前記第１側部Ｓ１から第４側部Ｓ４方向の一部の方向、例えば第１側部Ｓ１方向、第１側部Ｓ１と第２側部Ｓ２方向の間のいずれかの一方向を意味する。
側部Ｓの二方向とは、例えば第１側部Ｓ１−第２側部Ｓ２方向または例えば第３側部Ｓ３−第４側部Ｓ４方向のいずれかの二方向を意味する。
【００１７】
（定義４）
本発明の本発明の逆止弁１、３１で、「長手方向」とは、「逆止弁１、３１」の長尺方向（長い方向）を意味する。
本発明の図面及び発明の説明の中で、例えば図１に示すように、構成部材の上流Ｕ側を「・・・Ｕ」、下流Ｄ側を「・・・Ｄ」と記載した。
なお各構成部品の名称で、「・・Ｕ側」、「・・Ｓ側」等の位置・配置等の方向性を示す符号は、発明の理解ができ、必要と認められる範囲内で、図面及び発明の説明の中で一部のみについて記載した。
【００１８】
本発明（第一実施形態、第二実施形態）の逆止弁１、３１について、以下、図面を参照しながら説明する。
図１から図７は、第一実施形態の逆止弁１、図８から図１４は、第二実施形態の逆止弁３１を例示している。
第二実施形態の逆止弁３１が、第一実施形態の逆止弁１と主に異なる部材は、支持体３７Ｕと弁４０の形態である。
【００１９】
以下、発明の説明、図面において、説明、符号の煩雑化を防ぐために、第二実施形態の逆止弁３１の各構成部材の符号は、第一実施形態の逆止弁１の各構成部材に対応ないし相当する部材の符号（数字）に、「３０」をたした。
第二実施形態の逆止弁３１は、第一実施形態の逆止弁１と異なる部材のみに、異なる符号を記載した。
【００２０】
［逆止弁１、３１］
本発明の第一実施形態の逆止弁１は、上流側ハウジング２Ｕと下流側ハウジング２Ｄとを有する。
第二実施形態の逆止弁３１も、上流側ハウジング３２Ｕと下流側ハウジング３２Ｄとを有する。
【００２１】
［上流側ハウジング２Ｕ、３２Ｕ］
上流側ハウジング２Ｕ、３２Ｕは、上流側弁収納部３Ｕ、３３Ｕと上流側管状部５Ｕ、３５Ｕとを有する。
上流側弁収納部３Ｕ、３３Ｕは、いわゆる平らな「略円筒状」の形態を有している。
上流側弁収納部３Ｕ、３３Ｕは、基端ＰＥ側に底部３ＵＢ、３３ＵＢを有する。
上流側弁収納部３Ｕ、３３Ｕは、底部３ＵＢ、３３ＵＢから基端ＰＥ側に上流側管状部５Ｕ、３５Ｕを突設している。
底部３ＵＢ、３３ＵＢは略中心部に開口部３ＵＢＯ、３３ＵＢＯを有する。
底部３ＵＢ、３３ＵＢは、当該開口部３ＵＢＯ、３３ＵＢＯの外側（側部Ｓ方向）から末端ＤＥ側に向けて支持体７Ｕ、３７Ｕを突設している。
底部３ＵＢ、３３ＵＢは、支持体７Ｕ、３７Ｕの外側（側部Ｓ側）に、末端ＤＥ側に向けて小突起３Ｔ、３３Ｔを環状に形成している。
底部３ＵＢ、３３ＵＢは、突起３Ｔ、３３Ｔの外側（側部Ｓ側）に、末端ＤＥ側に向けて側壁３ＵＳＷ、３３ＵＳＷを形成している。
さらに詳述すれば、上流側ハウジング（２Ｕ、３２Ｕ）の底部３ＵＢ、３３ＵＢは、支持体７Ｕ、３７Ｕの側部Ｓ側と、側壁３ＵＳＷ、３３ＵＳＷとの間に、末端ＤＥ側に向けて小突起３Ｔ、３３Ｔを形成している。
【００２２】
側壁３ＵＳＷは、外側に接続部３ＵＳ（嵌合部ともいう）を形成している。
第一実施形態の逆止弁１は、上流側ハウジング２Ｕと下流側ハウジング２Ｄを機械嵌合するので、接続部３ＵＳは、凹状または凸状に形成する。これらは環状、螺子状でもよい。
第二実施形態の逆止弁３１は、上流側ハウジング３２Ｕと下流側ハウジング３２Ｄを、超音波溶着するので、第一実施形態の逆止弁１のように、あえて接続部３ＵＳに相当する部材を形成しなくてもよい。相互に超音波溶着する箇所は、超音波溶着できる形状であれば何でもよい。
底部３ＵＢ、３３ＵＢは外周に、フランジ３ＵＦ、３３ＵＦを突設している。
【００２３】
支持体７Ｕ、３７Ｕは、側部Ｓの二方向（第３側部Ｓ３側と第４側部Ｓ４側）に基端ＰＥ側から末端ＤＥ側に向けて下る傾斜部７ＵＴＰ、３７ＵＴＰを有する。
側部Ｓの二方向（第３側部Ｓ３側と第４側部Ｓ４側の傾斜部７ＵＴＰ、３７ＵＴＰは、末端ＤＥ側で合流して、頂部７ＵＰ、３７ＵＰとなっている。頂部７ＵＰ、３７ＵＰは閉塞している。
傾斜部７ＵＴＰ、３７ＵＴＰは、側部Ｓの二方向の各方向毎に、貫通孔７ＵＴＨ、３７ＵＴＨを形成している。貫通孔７ＵＴＨ、３７ＵＴＨは、一箇所のみ形成しても良いし、複数箇所形成しても良い。
第一実施形態の傾斜部７ＵＴＰの貫通孔７ＵＴＨは、いわゆる「略小円形状」の形態を有する。
第２実施形態の傾斜部３７ＵＴＰの貫通孔３７ＵＴＨは、いわゆる「略長円形状」またはいわゆる「略矩形状」の形態を有する。
【００２４】
［下流側ハウジング２Ｄ］
下流側ハウジング２Ｄ、３２Ｄは、下流側弁収納部３Ｄ、３３Ｄと下流側管状部５Ｄ、３５Ｄとを有する。
下流側ハウジング２Ｄ、３２Ｄは、基端ＰＥ側から末端ＤＥ側に向けて、下流側管状部５Ｄ、３５Ｄを突設している。
下流側弁収納部３Ｄ、３３Ｄは、いわゆる平らな「略円筒状」の形態を有している。
下流側弁収納部３Ｄ、３３Ｄは、基端ＰＥ側に底部３ＤＢ、３３ＤＢを有する。
底部３ＤＢ、３３ＤＢは、略中心部に開口部３ＤＯ、３３ＤＯを有する。
下流側ハウジング２Ｄ、３２Ｄは、開口部３ＤＯ、３３ＤＯの外側（側部Ｓ側）に、基端ＰＥ側に向けて側壁３ＤＳＷ、３３ＤＳＷを突設している。
【００２５】
側壁３ＤＳＷは、内側に接続部３ＤＳ成している。
第一実施形態の逆止弁１は、上流側ハウジング２Ｕと下流側ハウジング２Ｄを機械嵌合するので、接続部３ＤＳ（嵌合部ともいう）は、凹状または凸状に形成する。これらは環状、螺子状でもよい。
第二実施形態の逆止弁３１は、上流側ハウジング３２Ｕと下流側ハウジング３２Ｄを、超音波溶着するので、第一実施形態の逆止弁１のように、あえて接続部３ＤＳに相当する部材を形成しなくてもよい。相互に超音波溶着する箇所は、超音波溶着できる形状であれば何でもよい。
【００２６】
第一状態では、上流側管状部５Ｕ、３５Ｕの液体流路５ＵＬＰ、３５ＵＬＰは、開口部３ＵＢＯ、３３ＵＢＯ、貫通孔７ＵＴＨ、３７ＵＴＨを経て、下流側管状部５Ｄ、３５Ｄの開口部３ＤＯ、３３ＤＯ、液体流路５ＤＬＰ、３５ＤＬＰと連通する。
第二状態では、上流側管状部５Ｕ、３５Ｕの液体流路５ＵＬＰ、３５ＵＬＰは、支持体７Ｕ、３７Ｕ及び弁１０により遮断される。
【００２７】
［弁１０］
第一実施形態の弁１０は、変形部１０Ｈ（ダックビル部、あひるのくちばし部ともいう）とフランジ１０Ｆとを有する。
変形部１０Ｈは、基端ＰＥ側から末端ＤＥ側に向けて側部Ｓの二方向（第３側部Ｓ３−第４側部Ｓ４）に下る傾斜部１０ＴＰを有し、傾斜部１０ＴＰの末端ＤＥ側の頂部１０Ｐには、側部Ｓの二方向（第１側部Ｓ１−第２側部Ｓ２）に延びるスリット１０ＳＬを形成している。
【００２８】
［弁４０］
第２実施形態の弁４０は、変形部４０Ｈとフランジ４０Ｆとを有する。
変形部４０Ｈの略中央部には、側部Ｓの二方向（第１側部Ｓ１−第２側部Ｓ２）に延びるスリット４０ＳＬを形成している。
変形部４０Ｈは、側部Ｓの二方向（第３側部Ｓ３と第４側部Ｓ４側）からスリット４０ＳＬ側に向けて、次第に肉薄となるように形成している。
【００２９】
［逆止弁１の組み立て］
図２〜図４に示すように、（上流側ハウジング２Ｕの）上流側弁収納部３Ｕの側壁３ＵＳＷの内側に、末端ＤＥ側から弁１０を装着する。
弁１０の内側は、変形部１０Ｈの頂部１０Ｐからフランジ１０Ｆの基端ＰＥ側にわたって、支持体７Ｕの外側の末端ＤＥ側から基端ＰＥ側にわたって、当接される。
さらに末端Ｄ側から、（下流側ハウジング２Ｄの）下流側弁収納部３Ｄの側壁３ＤＳＷの内側を上流側弁収納部３Ｕの側壁３ＵＳＷの外側に嵌合する。
（上流側弁収納部３Ｕの側壁３ＵＳＷの）接続部３ＵＳと（下流側弁収納部３Ｄの側壁３ＤＳＷの）接続部３ＤＳとが側部Ｓ側から相互に嵌合し、（弁１０の）フランジ１０Ｆは、上流側弁収納部３Ｕの底部３ＵＢと下流側弁収納部３Ｄの底部３ＤＢとの間に挟持される。これによりフランジ１０Ｆは、基端ＰＥ側から小突起３Ｔに押され、さらに末端ＤＥ側から下流側ハウジング２Ｄの底部３ＤＢに押されて、弁１０は（上流側弁収納部３Ｕの）側壁３ＵＳＷの内側に圧入・固定される。
【００３０】
［逆止弁３１の組み立て］
図９〜図１１に示すように、（上流側ハウジング３２Ｕの）上流側弁収納部３３Ｕの側壁３３ＵＳＷの内側に、末端ＤＥ側から弁４０を装着する。
（弁４０の）変形部４０Ｈ内側は、スリット４０ＳＬ近傍からフランジ４０Ｆの基端ＰＥ側にわたって、支持体３７Ｕの外側の末端ＤＥ側から基端ＰＥ側にわたって、当接される。
さらに末端Ｄ側から、（下流側ハウジング３２Ｄの）下流側弁収納部３３Ｄの側壁３３ＤＳＷの内側を、上流側弁収納部３３Ｕの側壁３３ＤＳＷの外側に超音波溶着する。
上流側弁収納部３３Ｕの側壁３３ＵＳＷの外側と下流側弁収納部３３Ｄの側壁３３ＤＳＷの内側とが側部Ｓ側から相互に溶着し、（弁４０の）フランジ４０Ｆは、上流側弁収納部３３Ｕの底部３３ＵＢと下流側弁収納部３３Ｄの底部３３ＤＢとの間に挟持される。これによりフランジ４０Ｆは、基端ＰＥ側から小突起３３Ｔに押され、末端ＤＥ側から下流側ハウジング３２Ｄの底部３３ＤＢに押され、さらに弁４０は、（上流側弁収納部３３Ｕの）側壁３３ＵＳＷの内側に圧入・固定される。
【００３１】
以上のように本発明の逆止弁（１、３１）の特徴は、
上流側ハウジング（２Ｕ、３２Ｕ）の開口部（３ＵＢＯ、３３ＵＢＯ）と、弁（１０、４０）のスリット（１０ＳＬ、４０ＳＬ）との間には、支持体（７Ｕ、３７Ｕ）を配置し、隔てて配置している点である。
またスリット（１０ＳＬ、４０ＳＬ）近傍の上流Ｕ側の略垂直位置には、支持体（７Ｕ、３７Ｕ）の閉塞した頂部（７ＵＰ、３７ＵＰ）を配置している点である。
さらに支持体（７Ｕ、３７Ｕ）の貫通孔（７ＵＴＨ、３７ＵＴＨ）は、スリット（１０ＳＬ、４０ＳＬ）近傍の上流Ｕ側の略垂直位置から、側部Ｓ側に離間した位置に配置している点である。
【００３２】
［逆止弁１の使用例］
図１５に示すように、液体が上流Ｕ側（透析装置側）から下流Ｄ側（血液回路側）からへ流れるとき、液体は、液体流路５ＵＬＰ、開口部３ＵＢＯ、貫通孔７ＵＴＨを経て、（変形部１０Ｈ）の傾斜部１０ＴＰに上流Ｕ側から衝突する。これにより傾斜部１０ＴＰは上流Ｕ側へ変形し、スリット１０ＳＬが開口する。
液体は、（開口した）スリット１０ＳＬ、開口部３ＤＯ、液体流路５ＤＬＰを経て、血液回路側へ導入される。
【００３３】
図１６に示すように、液体が下流Ｄ側（血液回路側）から上流Ｕ側（透析装置側）
へ流れるとき（流れようとするとき）、液体は、液体流路５ＤＬＰ、開口部３ＤＯを経て、（変形部１０Ｈ）の傾斜部１０ＴＰに下流Ｄ側から衝突する。
傾斜部１０ＴＰは、支持体７Ｕの傾斜部７ＵＴＰにより、上流Ｕ側へ変形するのを阻止される。このためスリット１０ＳＬは閉じた状態を維持し、スリット１０ＳＬは、閉塞した頂部７ＵＰに当接される。また支持体７Ｕの貫通孔７ＵＴＨは、変形部１０Ｈの傾斜部１０ＴＰにより閉塞されている。したがって、液体は、スリット１０ＳＬを経て、上流Ｕ側（透析装置側）へ侵入することはない。
【００３４】
［逆止弁３１の使用例］
図１７に示すように、液体が上流Ｕ側（透析装置側）から下流Ｄ側（血液回路側）へ流れるとき、液体は、液体流路３５ＵＬＰ、開口部３３ＵＢＯ、貫通孔３７ＵＴＨを経て、変形部４０Ｈに上流Ｕ側から衝突する。これにより変形部４０Ｈは上流Ｕ側へ変形し、スリット４０ＳＬが開口する。
液体は、（開口した）スリット４０ＳＬ、開口部３３ＤＯ、液体流路３５ＤＬＰを経て、血液回路側へ導入される。
【００３５】
図１８に示すように、液体が下流Ｄ側（血液回路側）から上流Ｕ側（血液回路側）へ流れるとき（流れようとするとき）、液体は、液体流路３５ＤＬＰ、開口部３３ＤＯを経て、変形部４０Ｈに下流Ｄ側から衝突する。
変形部４０Ｈは、支持体３７Ｕの傾斜部３７ＵＴＰにより、上流Ｕ側へ変形するのを阻止される。このためスリット４０ＳＬは閉じた状態を維持し、スリット４０ＳＬは、閉塞した頂部３７ＵＰに当接される。また支持体３７Ｕの貫通孔３７ＵＴＨは、変形部４０Ｈの内側により閉塞されている。したがって、液体は、スリット４０ＳＬを経て、上流Ｕ側へ侵入することはない。
【００３６】
以上を総括すると、液体を上流Ｕ側から下流Ｄ側へ流すときには、弁（１０、４０）を内側（上流Ｕ側）から外側（下部Ｄ側）へ膨らますことができるので、スリット（１０ＳＬ、４０ＳＬ）を十分に開くことができ、液体の流量を十分に確保することができる。
また液体が下流Ｄ側から上流Ｕ側へ流れようとするときには、弁（１０、４０）の
変形部（１０Ｈ、４０Ｈ）は、支持体（７Ｕ、３７Ｕ）の傾斜部（７ＵＴＰ、３７ＵＴＰ）と頂部（７ＵＰ、３７ＵＰ）に押しつけられる。
スリット（１０ＳＬ、４０ＳＬ）は、頂部（７ＵＰ、３７ＵＰ）に、当接されて流体の流路は塞がれる。
また貫通孔（７ＵＴＨ、３７ＵＴＨ）は、変形部１０Ｈの傾斜部１０ＴＰ、変形部４０Ｈの内側により閉塞される。
以上のように、本発明の逆止弁（１、３１）は、液体の逆流（下流Ｄ側から上流Ｕ側への流れ）を二段階で押さえることができる。
【００３７】
本発明の逆止弁１、３１の各構成部材（例えば上流側ハウジング２Ｕ、３２Ｕ、上流側弁収納部３Ｕ、３３Ｕ、上流側管状部５Ｕ、３５Ｕ、支持体７Ｕ、３７Ｕ、弁１０、４０等は、前記したように相互に嵌合、係止、係合、装着等が可能な形態（形状、構造）であって、本発明の目的を達成できる形態であれば、前記した説明、図面に記載したものに限定されない。
【００３８】
（材料）
上流側ハウジング２Ｕ、下流側ハウジング２Ｄ等の材料は、ポリプロピレン、ポリカーボネート等、射出成形等により一体成形できる材料であれば何でも使用できる。
また弁１０、４０の材料は、シリコーン樹脂、合成ゴム、エラストマー等の弾性のある材料であれば何でも使用できる。
【符号の説明】
【００３９】
１、３１逆止弁
Ｕ  上流側
Ｄ  下流側
ＰＥ  基端側
ＤＥ  末端側
２Ｕ、３２Ｕ  上流側ハウジング
２Ｄ、３２Ｄ  下流側ハウジング
３Ｕ、３３Ｕ  上流側弁収納部
３ＵＳＷ、３３ＵＳＷ  側壁
３ＵＢ、３３ＵＢ  底部
３ＵＢＯ、３３ＵＢＯ  開口部
３Ｔ、３３Ｔ  小突起
３ＵＳ  接続部
３ＵＦ、３３ＵＦ  フランジ
３Ｄ、３３Ｄ  下流側弁収納部
３ＤＢ、３３ＤＢ  底部      
３ＤＯ、３３ＤＯ  開口部
３ＤＳＷ、３３ＤＳＷ  側壁
３ＤＳ  接続部
５Ｕ、３５Ｕ  上流側管状部
５ＵＬＰ、３５ＵＬＰ  液体流路  
５Ｄ、３５Ｄ  下流側管状部
５ＤＬＰ、３５ＤＬＰ  液体流路  
７Ｕ、３７Ｕ    支持体
７ＵＴＨ、３７ＵＴＨ  貫通孔
７ＵＴＰ、３７ＵＴＰ  傾斜部
７ＵＰ、３７ＵＰ      頂部
１０、４０  弁
１０Ｈ    変形部（変形部、あひるのくちばし部）
１０ＴＰ  傾斜部
１０Ｐ    頂部
４０Ｈ    変形部
１０Ｆ、４０Ｆ    フランジ
１０ＳＬ、４０ＳＬ  スリット
【図１】
2015148275.tif 000003
【図２】
2015148275.tif 000004
【図３】
2015148275.tif 000005
【図４】
2015148275.tif 000006
【図５】
2015148275.tif 000007
【図６】
2015148275.tif 000008
【図７】
2015148275.tif 000009
【図８】
2015148275.tif 000010
【図９】
2015148275.tif 000011
【図１０】
2015148275.tif 000012
【図１１】
2015148275.tif 000013
【図１２】
2015148275.tif 000014
【図１３】
2015148275.tif 000015
【図１４】
2015148275.tif 000016
【図１５】
2015148275.tif 000017
【図１６】
2015148275.tif 000018
【図１７】
2015148275.tif 000019
【図１８】
2015148275.tif 000020